(57)【要約】【課題】レンズホルダの周面と、それに対向配置されたアクトベースの周壁に両端が固定されたプリント基板を有する軸摺動回転型対物レンズ駆動装置において、摺動軸３に対する側圧を効率良く作用させること。【解決手段】フレキシブル基板１００の一端が固定された部分の近傍のレンズホルダ２０の胴部１２の肉厚を外周面の方で厚くして、その厚くした胴部１２の外周面に、フレキシブル基板１００の中間部の板面が当接するようにし、そのフレキシブル基板１００の弾性（復元力）が全て、摺動軸３に対する側圧となるようにする。そのことにより、摺動軸３に対する側圧が効率良く作用し、レンズホルダ２０の摺動・回転時の「がたつき」が抑制されるので、フォーカス動作、トラッキング動作がスムーズに行われ、光ディスクに対する記録の読み出しと書き込みが精度よく行われる。【選択図】図１
2007265499.tif 000002
【特許請求の範囲】
【請求項１】
対物レンズを擁したレンズホルダに設けられた軸孔に、アクトベースに設けられた摺動
軸が挿嵌され、その摺動軸に沿って前記レンズホルダが摺動可能、かつ、その摺動軸周り
に回転可能となった軸摺動回転型対物レンズ駆動機構の、前記レンズホルダの、レンズ装
着部に対して摺動軸の軸心を挟んで対向する位置の胴部外周面に突設されたフランジ部の
、その胴部外周面から離れた位置の下面と、その胴部外周面の外寄りに対向した位置のア
クトベースの周壁とにプリント基板の両端が固定された構成のものにおいて、
前記プリント基板が取り付けられている側のレンズホルダの胴部の肉厚を、その外周面
側の方で厚くして、その厚くした外周面に前記プリント基板の中間部の板面を当接させる
ようにし、そのプリント基板の弾性によって、摺動軸に側圧を印加するようにしたことを
特徴とする対物レンズ駆動機構。
【請求項２】
請求項１に記載の対物レンズ駆動機構を備えた光磁気ディスク装置。
【発明の詳細な説明】
【技術分野】
【０００１】
この発明は、ＣＤやＤＶＤなどの光磁気ディスクに搭載される光ピックアップの対物レ
ンズ駆動機構に係り、詳しくは、その軸摺動回転型のものにおけるレンズホルダの回転時
のガタツキ防止のための構造の改良に関する。
【背景技術】
【０００２】
ＣＤやＤＶＤなどの光記録媒体からの情報を読み取るために用いられる光ヘッド装置で
は、回転する光記録媒体のトラックにレーザー光線の焦点を合わせるために、対物レンズ
をトラッキング方向とフォーカス方向に駆動する対物レンズ駆動機構を備えている。図２
は、その対物レンズ駆動機構の一部、すなわち、アクトベース１０とそれに取り付けられ
る対物レンズホルダ２０（以下、単にレンズホルダ２０ともいう）の部分を示したもので
あり、（ａ）は、その平面図、（ｂ）は、アクトベース１０の部分を一部断面に含む正面
図、また、（ｃ）は（ａ）の線Ａ−Ａによる矢視図である。
【０００３】
この対物レンズ駆動機構は、図示しない基台の上に、図２に示したようなアクトベース
１０が載置されている。アクトベース１０は、概ね上面解放の箱形状のものであり、（ａ
）に示すように、その箱形状の図の右側壁と、下即壁から水平に突設されたネジ止め用の
ねじ穴付き突設部１と、図の上側壁の左隅底面から水平に突設されたコイルバネ（図示せ
ず）による支持部２を有し、この三点で、光ディスク装置の組み立て工程において、前記
図示しない基台に対する、アクトベース１０の傾きが微調整可能なようになっている。
【０００４】
その箱形状の底面の中央寄りに、底面に垂直に摺動軸３が圧入されており、その摺動軸
３に対物レンズ１１を擁したレンズホルダ２０が取り付けられている。
【０００５】
レンズホルダ２０は合成樹脂で形成されており、（ａ）に示すように、平面視、概ね矩
形を成すものであるが、（ｃ）に示すように、その中央付近の下面に円柱状の胴部１２が
垂下されている。その円柱の軸に沿って軸孔１３が開口されており、その軸孔１３の部分
で前記摺動軸３に挿嵌されている。軸孔１３の周りの胴部が軸受部１４である。この構成
により、レンズホルダ２０は、その摺動軸３に沿って摺動可能、かつ、その摺動軸３の周
りに回転可能となっている。それゆえ、この構成のレンズホルダ２０を備えた光ピックア
ップを軸摺動回転型光ピックアップという。
【０００６】
そして、その胴部１２には、（ｃ）に示すように、前記軸受部１４の周りに周溝１５が
設けられており、その周溝１５に沿ってフォーカスコイル３０が巻き回されている。また
、そのフォーカスコイル３０の下面に、そのフォーカスコイル３０に沿って磁性板（磁性
片）４０が取り付けられている。また、レンズホルダ２０の前記胴部１２の外周面には、
（ａ）において、レンズ中心と前記摺動軸３の軸心（軸孔１３の中心）を結ぶ線を挟んで
、右斜め上下方向に対向して一対のトラッキングコイル５０が装着されている。（ｂ）で
は、図の左右方向にずれた形で描かれている。
【０００７】
対物レンズ１１は、図のレンズホルダ２０の右手の側に装着されるようになっており、
（ｂ）、（ｃ）に示すように、その光軸を摺動軸３の軸線に平行にして取り付けられてい
る。そして、対物レンズ１１が装着された際のレンズ中心と前記摺動軸３の軸心（軸孔１
３の中心）を結ぶ線を挟んで、（ａ）の上下方向に一対の板状のマグネット６０が対向配
置されており、それぞれ、アクトベース１０の箱形状の周壁の内面に固定されている。
【０００８】
そして、前記トラッキングコイル５０と、前記フォーカスコイル３０に給電するための
フレキシブル基板１００（ＦＰＣ）の両端が、レンズホルダ２０の摺動軸３を挟んでレン
ズ１１の装着部と反対側の位置のレンズホルダ２０の胴部１２の外周面に最寄のフランジ
部下面と、その胴部１２の外周面に対向する位置のアクトベース１０の周壁とに固定され
ている。
【０００９】
以上のような構成の下、フォーカスコイル３０を励磁することにより、レンズホルダ２
０は摺動軸３に沿って摺動（昇降）して、そのレンズ装着部に装着されている対物レンズ
１１のフォーカス補正が行われる。同様に、トラッキングコイル５０を励磁することによ
り、レンズホルダ２０は摺動軸３の周りに回転して、対物レンズ１１のトラッキング補正
が行われる。
【００１０】
ここで、レンズホルダ２０の軸孔１３と、そこに差し込まれている摺動軸３の間に「が
たつき」があると、軸孔１３の内周面に対して、摺動軸３が片当たりの状態になるので、
レンズホルダ２０の摺動、回転が円滑に行われないおそれがある。
【００１１】
また、このようながたつきがあると、レンズホルダ２０に複共振が発生して、その適正
な駆動が阻害されるおそれもある。
【００１２】
さらには、がたつきのために、レンズホルダ２０に装着されている対物レンズ１１が傾
き、上記対物レンズ駆動機構を備えた光磁気ディスク装置の光学性能が劣化するおそれも
ある。
【００１３】
このような問題を解消するための一法として、下記の公知文献（特許文献１）では、磁
性板あるいはマグネットのセンタ位置をずらすことにより発生する磁気力によってレンズ
ホルダを摺動軸に対して横方向から押し付けて、すなわち、「側圧」を印加して、レンズ
ホルダの軸孔と摺動軸の間のがたつきを解消している。
【特許文献１】特開平０９−２６５６４３号公報（第１図）
【発明の開示】
【発明が解決しようとする課題】
【００１４】
従来の構成では、上記したように、磁性板４０あるいはマグネット６０のセンタ位置を
ずらすことにより、摺動軸３に側圧を印加していたが、図２（ｃ）に示したように、レン
ズホルダ２０の摺動軸３を挟んでレンズ装着部と反対側の位置のレンズホルダ２０の胴部
１２の外周面に最寄のフランジ部下面と、その胴部１２の外周面に対向する位置のアクト
ベース１０の周壁とに両端が取り付けられたフレキシブル基板１００が、その弾性力（復
元力）によって、レンズホルダ２０に、摺動軸３に平行な上向きの力を作用させている。
従って、その力と直交する前記側圧の作用を減退させ、あるいは乱すという問題があった
。
【００１５】
そこで、本発明は、対物レンズを擁したレンズホルダに設けられた軸孔に、アクトベー
スに設けられた摺動軸が挿嵌され、その摺動軸に沿って前記レンズホルダが摺動可能、か
つ、その摺動軸周りに回転可能となった軸摺動回転型対物レンズ駆動装置の、前記レンズ
ホルダの、レンズ装着部に対して摺動軸の軸心を挟んで対向する位置の胴部外周面に突設
されたフランジ部の、その胴部外周面から離れた位置の下面と、その胴部外周面の外寄り
に対向した位置のアクトベースの周壁とにプリント基板の両端が固定された構成のものに
おいて、磁性片あるいはマグネットのセンタ位置をずらすことにより、摺動軸に印加して
いた側圧作用が、上記のようなフレキシブル基板の弾性力（復元力）によって、減退する
ことを阻止することを課題とする。
【課題を解決するための手段】
【００１６】
上記目的を達成するため、本発明は、前記プリント基板が取り付けられている側のレン
ズホルダの胴部の肉厚を、その外周面側の方で厚くして、その厚くした外周面に前記プリ
ント基板の中間部の板面を当接させるようにし、そのプリント基板の弾性によって、摺動
軸に側圧を印加するようにしたのである。
【００１７】
このような構成にしたことにより、レンズホルダ胴部の外周面と、アクトベースの周壁
との間でのフレキシブル基板の復元力が摺動軸に対して側圧として作用する。
【発明の効果】
【００１８】
本発明は、上記のように構成したので、レンズホルダ胴部の外周面と、アクトベースの
周壁との間で作用するフレキシブル基板の復元力が摺動軸に対して平行ではなく、摺動軸
に直角に作用する。すなわち、側圧として作用するので、磁性片あるいはマグネットのセ
ンタ位置をずらすことによる磁気力の側圧とともに、摺動軸に対して側圧を効率良く印加
させることができる。
【００１９】
側圧全体の調整は、従来通り、磁性片あるいはマグネットのセンタ位置をずらすことに
よって行う。
【発明を実施するための最良の形態】
【００２０】
以下、この発明の実施の形態を図面を参照して説明する。本実施形態の構成の大部分は
前記背景技術の項の図２に示したものと同じであり、ここでは、その同じ構成要素の説明
は省略する。図１は、その違う要素を含んだ本実施形態の対物レンズ駆動装置を、その正
面から観た縦断面図であり、背景技術の項の図２（ｃ）に対応するものである。
【００２１】
図１に示すように、本実施形態の構成と前記従来例の構成が異なるのは、対物レンズ１
１に対して、摺動軸３を挟んで反対側に位置する胴部１２の外周面の部分である。
【００２２】
この部分の胴部１２の外周面に最寄のフランジ部の下面には、従来例の場合と同様、フ
ォーカスコイル３０およびトラッキングコイル５０に給電するフレキシブル基板１００の
一端が固定されている。そして、他端が、それに対向したアクトベース１０の周壁に固定
されていることも従来の場合と同様である（図２（ｃ）参照）。
【００２３】
しかしながら、本実施形態の構成が従来と異なるのは、そのフレキシブル基板１００の
一端が固定されたフランジ部に最寄の胴部１２の外周面の肉厚が、従来の場合より、外向
きに厚くなっている（図で符号１２ａを付した黒く塗りつぶした部分）ことである。
【００２４】
このようにしたことにより、フレキシブル基板１００は、その両端の中間部が胴部１２
の外周面に当接し、その胴部１２の外周面の当接部とアクトベース１０の周壁との間で摺
動軸１３に対して直交する方向に拘束され、その反作用として、フレキシブル基板１００
の弾性力（復元力）が胴部１２の外周面の当接面において、その面を摺動軸３側に押圧す
ることになり、この力が摺動軸３に対する側圧の一つとなる。
【００２５】
従って、このフレキシブル基板１００の弾性力による側圧と、従来からある磁性片４０
あるいはマグネット６０のセンタ位置をずらすことによって発生する磁気力による側圧が
、ともに摺動軸３に作用することになる。
【００２６】
従来のように、フレキシブル基板１００の復元力が摺動軸３に平行な力（上下方向の力
）として作用し、磁性板４０あるいはマグネット６０のセンタ位置をずらすことで発生す
る磁気力による側圧を乱すように作用していたのとは異なり、それらの側圧が効率よく摺
動軸３に作用することになる。
【００２７】
従って、レンズホルダ２０の摺動・回転時の「がたつき」が抑制され、フォーカス動作
、トラッキング動作がスムーズに行われ、光ディスクに対する記録の読み出しと書き込み
が精度よく行われる。
【産業上の利用可能性】
【００２８】
この発明は光磁気ディスク装置に搭載される対物レンズ駆動機構に一般に広く適用でき
る。
【図面の簡単な説明】
【００２９】
【図１】は、本実施形態の軸摺動回転型の対物レンズ駆動機構の、レンズ装着部のレンズ中心と摺動軸の軸心とを通る面の断面図（下記図２の（ｃ）に対応）を示したものである。
【図２】は、従来の軸摺動回転型の対物レンズ駆動機構を、（ａ）に平面図で、（ｂ）に、アクトベースの一部断面を含む正面図で示し、（ｃ）に（ａ）の線Ａ−Ａによる矢視図を示したものである。
【符号の説明】
【００３０】
３    摺動軸
１０    アクトベース
１１    対物レンズ
１２    胴部
１２ａ    胴部外周面の肉厚を増した部分
１３    軸孔
１４    軸受部
１５    周溝
２０    レンズホルダ
３０    フォーカスコイル
４０    磁性片（磁性板）
５０    トラッキングコイル
６０    マグネット
１００    フレキシブル基板
【図１】
2007265499.tif 000003
【図２】
2007265499.tif 000004